(57)【要約】【課題】充分なマッサージ作用を確保しながら、着用者の動作が拘束されるのを緩和することができるアンダーシャツを提供すること。【解決手段】伸縮性編地からなるアンダーシャツ１であって、胴回り部２と、袖部３、４と、これら胴回り部２と袖部３、４とを連結する連結部２９、３０とを備え、胴回り部２及び各袖部３、４は、その内面の身体にフィットする部分に設けられ、互いに異なる偏組織で編成された複数の凹部９及び凸部８を有する第一編地５で構成され、連結部２９、３０は、第一編地５が有する伸縮性よりも大きい伸縮性を有する第二編地で構成されている。【選択図】図１
2008038259.tif 000002
【特許請求の範囲】
【請求項１】
伸縮性編地からなる衣類であって、
第一領域と、第二領域と、これら第一領域と第二領域とを連結する連結部とを備え、
前記第一領域及び第二領域は、その内面の身体にフィットする部分に設けられ、互いに異なる編組織で編成された複数の凹部及び凸部を有する編地でそれぞれ構成され、
前記連結部は、着用者の関節に対応する部分に設けられ、前記第一領域が有する第一の伸縮性及び前記第二領域が有する第二の伸縮性よりも大きい第三の伸縮性を有する編地で構成されていることを特徴とする衣類。
【請求項２】
前記第一領域は、着用者の上半身の胴体を覆う胴回り部からなり、前記第二領域は、着用者の腕を通す袖部からなり、前記連結部は、着用者の肩関節に対応する部分に設けられていることを特徴とする請求項１に記載の衣類。
【請求項３】
前記連結部は、前記胴回り部にアームホールを形成するように輪状に形成されていることを特徴とする請求項２に記載の衣類。
【請求項４】
前記連結部は、前記袖部が連結されるアームホールを形成する縁部から着用者の肩を覆う部分までの範囲にわたり形成されていることを特徴とする請求項２又は３に記載の衣類。
【請求項５】
前記第一領域は、着用者の上半身の胴体を覆う胴回り部と上腕部を通す上腕袖部とを有する袖付胴回り部からなり、前記第二領域は、着用者の前腕を通す前腕袖部からなり、前記連結部は、着用者の肘関節に対応する部分に設けられていることを特徴とする請求項１に記載の衣類。
【請求項６】
前記第一領域のうち、着用者の胸部を覆う部分は、前記第一の伸縮性及び第二の伸縮性よりも伸縮性が大きく前記第三の伸縮性よりも伸縮性が小さい第四の伸縮性を有しているとともに、着用者の胸部を覆う部分以外の部分は、前記第一の伸縮性を有していることを特徴とする請求項２〜４の何れか１項に記載の衣類。
【請求項７】
前記第一領域は、着用者の腰部を覆う腰回り部と大腿部を通す足通し部とを有する膝上部からなり、第二領域は、着用者の下腿部を通す膝下部からなり、前記連結部は、着用者の膝関節に対応する部分に設けられていることを特徴とする請求項１に記載の衣類。
【請求項８】
前記第一領域は、着用者の腰部を覆う腰回り部と大腿部及び下腿部を通す足通し部とを有する足首上部からなり、前記第二領域は、着用者の足先を覆う足首下部からなり、前記連結部は、着用者の足首関節に対応する部分に設けられていることを特徴とする請求項１に記載の衣類。
【請求項９】
前記連結部は、平編領域と浮き編領域とがマトリクス状に配列された第一編組織と、平編領域のみからなる第二編組織とが重ね合わされた２本編組織からなることを特徴とする請求項１〜８の何れか１項に記載の衣類。
【請求項１０】
前記凸部は、平編領域と浮き編領域とが列方向に交互に並んだ編組織で構成され、この凸部の浮き編領域の段数は、前記連結部に編成された浮き編領域の段数よりも大きく設定されていることを特徴とする請求項９に記載の衣類。
【請求項１１】
前記凸部の浮き編領域には、複数のタック編が編成されていることを特徴とする請求項１０に記載の衣類。
【請求項１２】
前記第一領域及び第二領域を構成する編地には、前記凹部と凸部が互い違いに編成されているとともに、前記各凹部は、交互に深い凹部と浅い凹部に編成されていることを特徴とする請求項１〜１１の何れか１項に記載の衣類。
【請求項１３】
第三領域と、この第三領域と前記第二領域とを連結する第二連結部とをさらに備え、前記第三領域は、その内面の身体にフィットする部分に設けられ、互いに異なる編組織で編成された複数の凹部及び凸部を有する編地でそれぞれ構成され、前記第二連結部は、着用者の関節に対応する部分に設けられ、前記第一の伸縮性、第二の伸縮性及び前記第三領域が有する第五の伸縮性よりも大きい第六の伸縮性を有する編地で構成されていることを特徴とする請求項１〜１２に記載の衣類。
【発明の詳細な説明】
【技術分野】
【０００１】
本発明は、身体にフィットさせた状態で着用する衣類に関するものである。
【背景技術】
【０００２】
女性の身体は、年齢の経過とともに腹部、腰部、大腿部などに贅肉あるいは皮下脂肪などが付き、肌が弛んで身体のシルエットが崩れ、美しいボディラインを保持することができないことから、補正下着を着用して体形を整容することが行われている。
【０００３】
近年では、そのような体形の整容だけを目的とした下着ではなく、着用するとその内面に設けた隆起部で肌を刺激してマッサージ作用を生じさせて爽快効果やリラックス効果を発揮させる着心地の良い下着が提案されている。
【０００４】
そのような下着としては、例えば、特許文献１に開示されたものが知られている。すなわち、このガードルは、内面部に編成されたタック編みからなる多数条の波形の隆起部を設け、身体が動くたびにその波形の隆起部が肌を適度に押圧刺激することによりマッサージ作用を生じさせて爽快効果とリラックス効果を発揮させるというものである。
【特許文献１】特開平１１−１５２６０７号公報
【発明の開示】
【発明が解決しようとする課題】
【０００５】
前記特許文献１の技術では、着用時における隆起部とそれ以外の部分との落差が大きいほどマッサージ作用が大きく働くが、着用時に編地が必要以上に伸びると隆起部が伸張して前記落差が小さくため、マッサージ作用を効率よく発揮させるためには、着用時の落差を充分に担保すべく編地の伸縮性を小さくすることが好ましい。
【０００６】
しかしながら、例えば、胴回り部と袖部とを有する衣類を形成する場合、単に着用者の肌にフィットする部分の伸縮性を小さくするだけでは胴回り部と袖部との連結部分の伸縮性を損なうため、着用者が腕を動かし難くなるという問題がある。
【０００７】
したがって、腕の動作について着用者に違和感を与え、又は無理に腕を動かすことによる編地の破断等が生じるおそれがあった。
【０００８】
本発明は、上記課題に鑑みてなされたものであり、充分なマッサージ作用を確保しながら、着用者の動作が拘束されるのを緩和することができる衣類を提供することを目的としている。
【課題を解決するための手段】
【０００９】
上記課題を解決するために、本発明は、伸縮性編地からなる衣類であって、第一領域と、第二領域と、これら第一領域と第二領域とを連結する連結部とを備え、前記第一領域及び第二領域は、その内面の身体にフィットする部分に設けられ、互いに異なる編組織で編成された複数の凹部及び凸部を有する編地でそれぞれ構成され、前記連結部は、着用者の関節に対応する部分に設けられ、前記第一領域が有する第一の伸縮性及び前記第二領域が有する第二の伸縮性よりも大きい第三の伸縮性を有する編地で構成されていることを特徴とする衣類を提供する。
【００１０】
本発明によれば、第一領域及び第二領域によって着用者の身体が動くたびに内面の凸部と凹部が肌に刺激を与えてマッサージ作用を生じさせ、新陳代謝を促進して血流を良くすることができる。また、凸部と凹部とにより贅肉や皮下脂肪が挟圧され、こうした挟圧作用が身体の動作のたびに行われることにより、贅肉や皮下脂肪が自然に減少されるという作用効果を奏することになる。
【００１１】
さらに、本発明では、第一領域が有する第一の伸縮性及び第二領域が有する第二の伸縮性よりも大きな第三の伸縮性を有する連結部によって、第一領域と第二領域とが連結されているので、凹部と凸部との落差を維持しながら第一領域と第二領域との相対移動の自由度を大きく確保することができる。
【００１２】
したがって、本発明によれば、第一領域及び第二領域によるマッサージ作用や脂肪減少作用を確保しながら、連結部により着用者の動作が拘束されるのを緩和することができる。
【００１３】
具体的に、前記第一領域は、着用者の上半身の胴体を覆う胴回り部からなり、前記第二領域は、着用者の腕を通す袖部からなり、前記連結部は、着用者の肩関節に対応する部分に設けられている構成とすることにより、着用者の肩の動作が拘束されるのを緩和することができる。
【００１４】
前記連結部は、前記胴回り部と袖部との間の少なくとも一部に形成されていれば、前記胴回り部と袖部との相対移動の自由度を大きくすることができるものの、前記連結部は、前記胴回り部にアームホールを形成するように輪状に形成されていることが特に好ましい。
【００１５】
この構成によれば、アームホールを形成する縁部が全周にわたり連結部によって形成されることになるので、連結部の伸縮性（第三の伸縮性）を利用して、着用者が肩を回し易くなる。
【００１６】
また、前記連結部は、前記袖部が連結されるアームホールを形成する縁部から着用者の肩を覆う部分までの範囲にわたり形成されていることが好ましい。
【００１７】
この構成によれば、アームホールと首元とを結ぶ方向の伸縮性を向上することができるので、着用者が腕を垂れ下げた通常の姿勢において、アームホールから首元までの範囲がつっぱることなく伸張して着用感をより向上することができる。
【００１８】
また、前記衣類において、前記第一領域は、着用者の上半身の胴体を覆う胴回り部と上腕部を通す上腕袖部とを有する袖付胴回り部からなり、前記第二領域は、着用者の前腕を通す前腕袖部からなり、前記連結部は、着用者の肘関節に対応する部分に設けられている構成とすることにより、着用者の肘の曲げ伸ばし動作が拘束されるのを緩和することができる。
【００１９】
そして、前記のように上半身に着用される衣類においては、前記第一領域のうち、着用者の胸部を覆う部分は、前記第一の伸縮性及び第二の伸縮性よりも伸縮性が大きく前記第三の伸縮性よりも伸縮性が小さい第四の伸縮性を有しているとともに、着用者の胸部を覆う部分以外の部分は、前記第一の伸縮性を有していることが好ましい。
【００２０】
この構成によれば、着用者の胸部を必要以上に締め付けることなく、胸部以外の部分によるマッサージ作用を得ることができるため、女性用の衣類として好適に用いることができる。
【００２１】
一方、前記衣類において、前記第一領域は、着用者の腰部を覆う腰回り部と大腿部を通す足通し部とを有する膝上部からなり、第二領域は、着用者の下腿部を通す膝下部からなり、前記連結部は、着用者の膝関節に対応する部分に設けられている構成、つまり、下半身に着用される長ズボン形状の衣類を構成することもできる。
【００２２】
このようにすれば、着用時に膝の屈伸動作が拘束されるのを緩和することができる。
【００２３】
一方、前記第一領域は、着用者の腰部を覆う腰回り部と大腿部及び下腿部を通す足通し部とを有する足首上部からなり、前記第二領域は、着用者の足先を覆う足首下部からなり、前記連結部は、着用者の足首関節に対応する部分に設けられている構成、つまり、腰部から足先までを覆うタイツ形状の衣類を構成することもできる。
【００２４】
このようにすれば、着用時に足首の曲げ伸ばし動作が拘束されるのを緩和することができる。
【００２５】
そして、前記連結部は、平編領域と浮き編領域とがマトリクス状に配列された第一編組織と、平編領域のみからなる第二編組織とが重ね合わされた２本編組織からなることが好ましい。
【００２６】
この構成によれば、列方向に高い伸縮性を有する平編領域のみからなる第二編組織と、外力が付与されていない状態で段方向に縮められる浮き編領域がマトリクス状に配列された第一編組織とが重ね合わされた２本編組織で前記連結部を編成しているので、平編領域による列方向の伸縮性と、各浮き編領域による段方向の伸縮性とを両立させることができる。
【００２７】
このように第二編組織に浮き編領域が編成された構成において、前記凸部は、平編領域と浮き編領域とが列方向に交互に並んだ編組織で構成され、この凸部の浮き編領域の段数は、前記連結部に編成された浮き編領域の段数よりも大きく設定されていることが特に好ましい。
【００２８】
この構成によれば、凸部に編成された浮き編領域の段数が連結部に編成された浮き編領域の段数よりも大きく設定されているため、互いに段方向に縮められる両浮き編領域のうち、凸部に編成されたものに比べて連結部に編成されたものの収縮力が小さくなるため、衣類全体に所定の張力が付与された場合には、前記凸部の浮き編領域よりも先に連結部に編成された浮き編領域が伸張することになり、前記凸部の形態を保持しながら連結部を伸縮させることができる。
【００２９】
ここで、前記凸部の浮き編領域に複数のタック編を編成することにより、当該凸部の浮き編領域の段方向の収縮力を、前記連結部に編成された浮き編領域と比較してさらに大きくすることができるので、相対的に連結部の伸縮性（第三の伸縮性）をより大きくすることができる。
【００３０】
前記衣類において、前記胴回り部及び袖部を構成する編地には、前記凹部と凸部が互い違いに編成されているとともに、前記各凹部は、交互に深い凹部と浅い凹部に編成されていることが好ましい。
【００３１】
このようにすれば、凹部と凸部とが互い違いに形成されているので、凸部が間断なく連続して形成されている場合と異なり、胴回り部及び袖部の一部に過大な張力が付加されて特定の凸部が低くなった場合でも、他の凸部の高さを保持して前記マッサージ作用が広範にわたり減衰するのを抑制することができる。
【００３２】
さらに、前記構成では、前記凹部として深い凹部と浅い凹部とが編成されているので、深い凹部と浅い凹部の深さの違いにより挟圧力が異なり、皮下脂肪の減少に一層の効果がある。また、衣類を着用したときに凸部によって押し出された贅肉や皮下脂肪は浅い凹部や深い凹部に移動するが、浅い凹部が贅肉や皮下脂肪で満たされた場合であっても、深い凹部では贅肉や皮下脂肪の層の上に空気層が残存した状態が確保されるため、衣類の通気性がよくなり圧迫感も緩和され、爽快で良好な着用感が得られる。さらに、深い凹部や浅い凹部に空気が入り断熱効果を生じるため、防寒用の衣類としても利用可能となる。
【００３３】
また、前記衣類において、第三領域と、この第三領域と前記第二領域とを連結する第二連結部とをさらに備え、前記第三領域は、その内面の身体にフィットする部分に設けられ、互いに異なる編組織で編成された複数の凹部及び凸部を有する編地でそれぞれ構成され、前記第二連結部は、着用者の関節に対応する部分に設けられ、前記第一の伸縮性、第二の伸縮性及び前記第三領域が有する第五の伸縮性よりも大きい第六の伸縮性を有する編地で構成されていることが好ましい。
【００３４】
このようにすれば、連結部及び第二連結部によって衣類に２箇所の伸縮性の大きい部分を設けることができるため、着用者の動作が拘束されるのをより緩和することができる。
【発明の効果】
【００３５】
本発明によれば、充分なマッサージ作用を確保しながら、着用者の動作が拘束されるのを緩和することができる。
【発明を実施するための最良の形態】
【００３６】
以下、本発明の好ましい実施形態について図面を参照して説明する。
【００３７】
図１は、本発明の実施形態に係るアンダーシャツを示す（ａ）は正面図、（ｂ）は背面図である。図２は、図１のアンダーシャツの着用時の状態を示す図である。
【００３８】
図１及び図２を参照して、衣類の一例としてのアンダーシャツ１は、前身頃及び後身頃を有する胴回り部（第一領域）２と、袖部（第二領域）３及び袖部（第二領域）４と、これら胴回り部２と各袖部３、４とをそれぞれ連結する一対の連結部２９及び連結部３０とを備えている。
【００３９】
これら連結部２９、３０は、それぞれ前記各袖部３、４が連結されるアームホール２９ａ及びアームホール３０ａを形成するように、それぞれ輪状に形成されている。また、連結部２９、３０は、それぞれ前記アームホール２９ａ、３０ａを形成する縁部から着用者の肩を覆う部分までの範囲、つまり、各アームホール２９ａ、３０ａから襟刳り２ｂまでの範囲にわたり形成されている。
【００４０】
前記アンダーシャツ１は、ポリアミド、ポリウレタンなどの伸縮性糸条及びコットン糸条等を使用して編成されている。
【００４１】
具体的に、アンダーシャツ１は、前記胴回り部２及び各袖部３、４の内面の身体にフィットする領域を編成する第一編地５と、前記連結部２９、３０を編成する第二編地６と、着用者の胸部及び肩甲骨付近を覆う領域を編成する第三編地７とによって構成されている。
【００４２】
第一編地５は、２本の糸条を一体にして同一経路で編み込んだ編組織とされている。この第一編地５には、図５に示すように、胴回り部２及び各袖部３、４の内面の周方向に編組織の異なる凸部８と凹部９とが互い違いに編成されており、各凹部９は交互に深い凹部９ａと浅い凹部９ｂ（図６参照）に編成されている。
【００４３】
また、第一編地５の表側（外面）は、図３に示すように、凸部８、深い凹部９ａ、凸部８、浅い凹部９ｂに対応する部分がこの順で互い違いに編成された形態となっている。
【００４４】
具体的に、凸部８は、図８に示すように、１列２０段の浮き編領域Ｒ１と３列２０段の平編領域Ｒ２とが列方向に交互に並んだ編組織で構成され、この浮き編領域Ｒ１には複数のタック編１０〜１４が４段毎に編成されている。
【００４５】
深い凹部９ａは、平編により編成されている。
【００４６】
浅い凹部９ｂは、２列２段の浮き編領域Ｒ３と２列２段の平編領域Ｒ４と２列２段のタック編領域Ｒ５とが組み合わされた編組織で構成されている。
【００４７】
なお、図８では、編組織の説明をするために編組織を拡げた状態で表しているが、実際には、凸部８を形成するための平編領域Ｒ２と浮き編領域Ｒ１とが列方向に交互に並んだ編組織では、３列２０段の平編領域Ｒ２が１列２０段の浮き編領域Ｒ１のループ１５で２０段分が１段に引っ張られる分だけ平編領域Ｒ２が裏側に膨らんだ形態となり、さらにこの凸部８の浮き編領域Ｒ１が複数のタック編１０〜１４で４段毎にタックされることで編地が伸縮しても凸部８が所望の高さに保持されるようになっている。
【００４８】
また、浅い凹部９ｂは、２列２段の浮き編領域Ｒ３の２つのループ１６によって２段分が１段に引っ張られる分だけ平編領域Ｒ４が裏側に膨らんだ形態となり、さらにこの浅い凹部９ｂは、２列２段のタック編領域Ｒ５が浮き編領域Ｒ３と平編領域Ｒ４に隣接するように組み合わせて編成されていることで編地が伸縮してもタックループ１７によって浅い凹部９ｂが所望の深さに保持されるようになっている。
【００４９】
ここで、浅い凹部９ｂは、２列２段の平編領域Ｒ４と２列２段のタック編領域Ｒ５とがマトリクス状に配列された編組織で構成したり、２列２段の平編領域Ｒ４と２列２段の浮き編領域Ｒ３とがマトリクス状に配列された編組織（図１３参照）で構成することもできる。これらの構成によっても上記の２列２段の浮き編領域Ｒ３と平編領域Ｒ４とタック編領域Ｒ５とを隣接するように組み合わせた図８に示す第一編地５の場合とほぼ同様に、編地が伸縮しても浅い凹部９ｂが所望の高さに保持されるようになる。
【００５０】
これにより、第一編地５の裏側（内面）は、図５に示すように、凸部８、深い凹部９ａ、凸部８、浅い凹部９ｂがこの順で互い違いに編成された形態となる。また、第一編地５の表側（外面）は、図３に示すように、凸部８、深い凹部９ａ、凸部８、浅い凹部９ｂに対応する部分がこの順で互い違いに編成された形態となる。
【００５１】
そして、アンダーシャツ１を着用すると、第一編地５の表側（外面）は、図４に示すように、凸部８の外面側はあまり変形せず、深い凹部９ａの外面側は略楕円形状に伸張変形し、浅い凹部９ｂの外面側は略四角形状に伸張変形する。
【００５２】
一方、第一編地５の裏側（内面）は、図７に示すように、凸部８はあまり変形せず、深い凹部９ａは略楕円形状に伸張変形し、浅い凹部９ｂは略四角形状に伸張変形する。
【００５３】
図９を参照して、第二編地６は、平編領域Ｒ６と浮き編領域Ｒ７とがマトリクス状に配列された第一編組織１８と、図１０に示すように平編領域Ｒ８のみからなる第二編組織１９とが重ね合わされた図１１に示す２本編組織で編成されている。
【００５４】
具体的に、第一編組織１８は、４列７段の平編領域Ｒ６と４列５段の浮き編領域Ｒ７とが列方向で交互に配列されるとともに、これら平編領域Ｒ６と浮き編領域Ｒ７とが段方向にも交互に配列されている。したがって、隣接する浮き編領域Ｒ７は、段方向で平編１段分離間して配置されることになる。
【００５５】
浮き編領域Ｒ７は、２列の浮き編部分２０、２１と、この浮き編部分２０から外側に１列ずつ延長した４列の浮き編部分２２、２３とを有し、これら４列の浮き編部分２２、２３が２列の浮き編部分２０、２１によって段方向に挟まれた編組織を構成している。したがって、浮き編領域Ｒ７には、１列３段のループ２４、２５と、１列５段のループ２６、２７とが形成されている。
【００５６】
そして、この第一編組織１８と図１０に示す第二編組織１９とを重ね合わせた第二編地６は、図１１及び１２に示すように、前記浮き編領域Ｒ７を内包する編組織を構成することになる。
【００５７】
このように構成された第二編地６は、前記浮き編領域Ｒ７に相当する部分がループ２４〜２７によって縮められて、段方向への伸縮性を発揮することになる。これに加えて、第二編地６の大部分を構成する平編領域Ｒ６、Ｒ８によって列方向にも高い伸縮性を有することになる。
【００５８】
したがって、第二編地６は、前記第一編地５と比較して、列方向及び段方向の何れにおいても伸縮性が大きいものとなる。
【００５９】
すなわち、第二編地６は、２０段の浮き編領域Ｒ１が形成された第一編地５と比較して、そのループ２４〜２７の収縮力が第一編地５のループ１５よりも小さいため段方向に伸ばし易くなる。
【００６０】
また、第二編地６は、その全域に平編領域Ｒ８（図１０）が内包されているため、平編領域Ｒ２、Ｒ４が間欠的に形成された第一編地５と比較して、列方向への伸縮性も大きく確保することができる。
【００６１】
したがって、第二編地６の伸縮性（第三の伸縮性）は、第一編地５の伸縮性（第一の伸縮性及び第二の伸縮性）よりも、列方向、段方向の何れの方向についても大きなものとなる。
【００６２】
一方、前記第三編地７（図１参照）は、２本の糸条を一体にして同一経路で編み込んだ平編の編組織（図８のＲ２、Ｒ４と同様の編組織）とされている。
【００６３】
この第三編地７は、前記第二編地６よりも編み目を荒くすることにより当該第二編地６よりも伸縮性（第四の伸縮性）が低く設定されている。つまり、第三編地７は、第二編地６に比較して単位面積当たりの編み目の数が少なく設定されているため、当該各編み目を拡げることができる寸法が第二編地６よりも制限されている。
【００６４】
このように編み目の粗さを調整する方法としては、編み込み時に糸条に付与するテンションを調整することが挙げられる。つまり、第三編地７の編み込み時に付与するテンションを第二編地６の編み込み時に付与するテンションよりも小さくすることにより、糸条が自然長に復帰した時の編み目の密度を、第二編地６よりも第三編地７の方が小さくなるように調整することができる。
【００６５】
そして、前記第三編地７の伸縮性（第四の伸縮性）は、前記浮き編領域Ｒ１（図８参照）が編成されていない分だけ、前記第一編地５の伸縮性（第一の伸縮性及び第二の伸縮性）よりも大きくなる。
【００６６】
すなわち、本実施形態では、胴回り部２の伸縮性（第一の伸縮性）と各袖部３、４の伸縮性（第二の伸縮性）が等しく、これら第一、第二の伸縮性よりも連結部２９、３０の伸縮性（第三の伸縮性）が大きくされ、第三編地７の伸縮性（第四の伸縮性）が前記第一の伸縮性及び第二の伸縮性より大きく第三の伸縮性よりも小さくされている。
【００６７】
なお、前記実施形態では、編組織や編み目の粗さの違いによって、胴回り部２及び各袖部３、４と連結部２９、３０との伸縮性の違いを生じさせているが、これら胴回り部２、各袖部３、４及び連結部２９、３０をそれぞれ編成する糸条の種類（材質、直径等）の違いによって伸縮性の違いを生じさせることもできる。
【００６８】
以上説明したように、前記アンダーシャツ１によれば、第一編地５によって着用者の身体が動くたびに内面の凸部８と凹部９が肌に刺激を与えてマッサージ作用を生じさせ、新陳代謝を促進して血流を良くすることができる。また、凸部８と凹部９とにより贅肉や皮下脂肪が挟圧され、こうした挟圧作用が身体の動作のたびに行われることにより、贅肉や皮下脂肪が自然に減少されるという作用効果を奏することになる。
【００６９】
さらに、アンダーシャツ１では、第一編地５よりも大きな伸縮性を有する連結部２９、３０が、胴回り部２と各袖部３、４とを連結しているので、第一編地５の凸部８と凹部９との落差を維持しながら胴回り部２と各袖部３、４との相対移動の自由度を確保することができる。
【００７０】
したがって、アンダーシャツ１によれば、第一編地５によるマッサージ作用や脂肪減少作用を確保しながら、連結部２９、３０によって着用者の腕の動作が拘束されるのを緩和することができる。
【００７１】
前記実施形態のように、各アームホール２９ａ、３０ａを形成するように各連結部２９、３０を輪状に形成することにより、アームホール２９ａ、３０ａを形成する縁部が全周にわたり連結部２９、３０によって形成されることになるので、連結部２９、３０の伸縮性を利用して着用者が肩を回し易くなる。
【００７２】
前記実施形態のように、各アームホール２９ａ、３０ａを形成する縁部から襟刳り２ｂまでの範囲にわたり連結部２９、３０を形成することにより、着用者が腕を垂れ下げた通常の姿勢において、アームホール２ａから首元までの範囲がつっぱることなく伸張して着用感をより向上することができる。
【００７３】
前記実施形態のように、列方向に高い伸縮性を有する平編領域Ｒ８のみからなる第二編組織１９と、ループ２４〜２７によって段方向に縮められる浮き編領域Ｒ７がマトリクス状に配列された第一編組織１８とが重ね合わされた二本編組織で連結部２９、３０を編成することにより、平編領域Ｒ６、Ｒ８による列方向の伸縮性と、各浮き編領域Ｒ７による段方向の伸縮性とを両立させることができる。
【００７４】
前記実施形態では、凸部８に編成された浮き編領域Ｒ１の段数（２０段）が第二編地６の浮き編領域Ｒ７の段数（３段又は５段）よりも大きく設定されているので、互いに段方向に縮められる浮き編領域Ｒ１、Ｒ７のうち、凸部８に編成された浮き編領域Ｒ１よりも第二編地６に編成された浮き編領域Ｒ７の収縮力が小さくなるため、第一編地５及び第二編地６に所定の張力が付与された場合には、凸部８の浮き編領域Ｒ１よりも先に第二編地６の浮き編領域Ｒ７が伸張することになり、前記凸部８の形態を保持しながら第二編地６を伸縮させることができる。
【００７５】
そして、前記実施形態では、前記浮き編領域Ｒ１に複数のタック編を編成していることにより、当該凸部８の浮き編領域Ｒ１の収縮力を、第二編地６に編成された浮き編領域Ｒ７と比較してさらに大きくすることができるので、相対的に第二編地６の伸縮性をより大きくすることができる。
【００７６】
前記実施形態のように、第一編地５に凸部８と凹部９とを互い違いに形成することにより、凸部８が間断なく連続して形成されている場合と異なり、第一編地５の特定部分に過大な張力が付加されて特定の凸部８が低くなった場合でも、他の凸部８の高さを保持して前記マッサージ作用が広範にわたり減衰するのを抑制することができる。
【００７７】
さらに、前記実施形態では、凹部９として深い凹部９ａと浅い凹部９ｂとが編成されているので、深い凹部９ａと浅い凹部９ｂの違いにより挟圧力が異なり、皮下脂肪の減少に一層の効果がある。また、アンダーシャツ１を着用したときに凸部８によって押し出された贅肉や皮下脂肪は浅い凹部９ｂや深い凹部９ａに移動するが、浅い凹部９ｂが贅肉や皮下脂肪で満たされた場合であっても、深い凹部９ａでは贅肉や皮下脂肪の層の上に空気層が残存した状態が確保されるため、アンダーシャツ１の通気性がよくなり圧迫感も緩和され、爽快で良好な着用感が得られる。さらに、深い凹部９ａや浅い凹部９ｂに空気が入り断熱効果を生じるため、防寒用アンダーシャツとして利用することも可能である。
【００７８】
前記実施形態のように、胴回り部２の着用者の胸部を覆う部分が第一編地５よりも伸縮性が大きく、第二編地６よりも伸縮性が小さい第三編地７により編成された構成によれば、着用者の胸部を必要以上に締め付けることなく、第一編地５によるマッサージ作用をえることができるため、女性用アンダーシャツとして好適に用いることができる。
【００７９】
なお、前記実施形態では、図８に示すように、第一編地５の凸部８を編成する浮き編領域Ｒ１にタック編１０〜１４を編成した構成について説明したが、図１３に示すようにタック編１０〜１４を省略することもできる。
【００８０】
この構成においても、１列２０段のループ１５によって段方向に縮められた第一編地５は、ループ２４〜２７により段方向に縮められた第二編地６（図１２参照）よりも段方向の伸縮性が小さくなるため、マッサージ作用と腕の動かし易さとの両立を図ることができる。
【００８１】
また、前記実施形態では、着用者の胸部を覆う部分に第三編地７を編成した構成について説明したが、図１４に示すように、第三編地７を省略したアンダーシャツ２８とすることもできる。すなわち、マッサージ作用と腕の動かし易さとの両立を図るためには、少なくとも第一編地５と第二編地６とを有し、この第二編地６が胴回り部２と各袖部３との境界部分に設けられていればよい。
【００８２】
さらに、前記実施形態では、胴回り部２と各袖部３、４とを同一の伸縮性を有する第一編地５により編成する構成について説明したが、これら胴回り部２及び各袖部３、４を編成する編地の伸縮性は、同一である必要はなく、少なくとも連結部２９、３０を編成する編地（第二編地６）よりも伸縮性が小さい範囲内で、それぞれ異なるものであってもよい。
【００８３】
また、前記実施形態では、着用者の肩（肩関節）に対応する部分に連結部２９、３０を設けた構成について説明したが、図１５の（ａ）に示すように、着用者の肘関節に対応する部分に連結部３２及び連結部３３を設けたアンダーシャツ３１とすることもできる。
【００８４】
アンダーシャツ３１は、胴回り部３４と、この胴回り部３４から延びる一対の袖部３５及び袖部３６と、連結部３２、３３とを備えている。
【００８５】
袖部３５、３６は、胴回り部３４に形成されたアームホール３４ａ、３４ｂにそれぞれ取り付けられた上腕袖部３７及び上腕袖部３８と、これら上腕袖部３７、３８に前記連結部３２、３３を介してそれぞれ連結された前腕袖部３９及び前腕袖部４０とを備えている。
【００８６】
すなわち、本実施形態では、胴回り部３４と上腕袖部３７、３８とを有する袖付胴回り部が第一領域の一例を構成し、前腕袖部３９、４０が第二領域の一例を構成している。
【００８７】
そして、本実施形態では、前記胴回り部３４、上腕袖部３７、３８、及び前腕袖部３９、４０が前記第一編地５により編成されているとともに、前記連結部３２、３３が第二編地６により編成されている。
【００８８】
したがって、このアンダーシャツ３１によれば、着用者の肘の曲げ伸ばしが拘束されるのを緩和することができる。
【００８９】
さらに、図１５の（ｂ）に示すように、胴回り部４１と、一対の上腕袖部４２及び上腕袖部４３と、一対の前腕袖部４４及び前腕袖部４５と、前記胴回り部４１と各上腕袖部４２とを連結する第一連結部４６及び第一連結部４７と、前記各上腕袖部４２、４３と各前腕袖部４４、４５とをそれぞれ連結する第二連結部４８及び第二連結部４９とを備えたアンダーシャツ５０とすることもできる。
【００９０】
前記各第一連結部４６、４７は、前記実施形態における連結部２９、３０（図１参照）と同様に、胴回り部４１にアームホール４６ａ、４７ａを形成するように輪状に設けられている。
【００９１】
すなわち、この実施形態では、胴回り部４１が第一領域の一例を構成し、各上腕袖部４２、４３が第二領域の一例を構成し、各前腕袖部４４、４５が第三領域の一例を構成している。
【００９２】
この実施形態では、第一連結部４６、４７が着用者の肩関節に対応する部分に、第二連結部４８、４９が着用者の肘関節に対応する部分に設けられている。
【００９３】
そして、アンダーシャツ５０では、胴回り部４１、各上腕袖部４２、４３及び各前腕袖部４４、４５が第一編地５により編成され、第一連結部４６、４７及び第二連結部４８、４９が第二編地６により編成されている。
【００９４】
前記アンダーシャツ５０によれば、第一連結部４６、４７及び第二連結部によって着用者の肩及び肘の２箇所の動作が拘束されるのを緩和することができる。
【００９５】
なお、前記実施形態では、アンダーシャツ１、２８及び５０について説明したが、着用者の動作の拘束を緩和する衣類として、図１６に示すようなガードル５１を提供することもできる。
【００９６】
本実施形態に係るガードル５１は、膝上部（第一領域）５２と、一対の膝下部（第二領域）５３及び膝下部（第二領域）５４と、これら膝上部５２と各膝下部５３、５４とを連結する一対の連結部５５及び連結部５６とを備えている。
【００９７】
膝上部５２は、着用者の腰部を覆う腰回り部５２ａと、着用者の大腿部を通す一対の足通し部５２ｂとを備えている。
【００９８】
そして、ガードル５１は、膝上部５２及び膝下部５３、５４が前記第一編地５により編成されているとともに、連結部５５、５６が前記第二編地６により編成されている。
【００９９】
このように、ガードル５１では、着用者の膝関節に対応する部分に設けられた連結部５５、５６の伸縮性が膝上部５２及び膝下部５３、５４よりも大きくされているため、着用者の膝の屈伸動作が拘束されるのを緩和することができる。
【０１００】
さらに、図１７に示すように、前記ガードル５１に加えて着用者の足先を覆う一対の足首下部５７、５８を備えたガードル５９とすることもできる。
【０１０１】
ガードル５９は、前記膝上部（第一領域）５２と、前記各膝下部（第二領域）５３、５４と、各足首下部（第三領域）５７、５８と、前記各連結部（第一連結部）５５、５６と、前記各膝下部５３、５４と各足首下部５７、５８とをそれぞれ連結する第二連結部６０及び第二連結部６１とを備えている。
【０１０２】
各足首下部５７、５８は、前記第一編地５により編成されている一方、各第二連結部６０、６１は、前記第二編地６により編成されている。
【０１０３】
したがって、図１７に示すガードル５９によれば、各連結部５５、５６が着用者の膝関節に対応する部分に設けられているだけでなく、各第二連結部６０、６１が着用者の足首の関節に対応する部分にも設けられているため、膝及び足首の２箇所について、着用者の動作が拘束されるのを緩和することができる。
【０１０４】
なお、図１７の実施形態では、膝関節に対応する部分及び足首の部分の双方に連結部５５、５６及び第二連結部６０、６１を設けた構成としているが、前記連結部５５、５６を省略した構成とすることもできる。
【０１０５】
つまり、この場合には、前記膝上部５２と各膝下部５３、５４とを含む足首上部が第一領域の一例を構成するとともに、前記各足首下部５７、５８が第二領域の一例を構成し、各第二連結部６０、６１が連結部の一例を構成することになる。
【０１０６】
なお、前記実施形態では、衣類として下着を例示したが、前記実施形態に係るシャツは、下着としてだけではなく、例えばスポーツウェアとしても使用することができ、使用される場面は特に限定されるものではない。
【図面の簡単な説明】
【０１０７】
【図１】本発明の実施形態に係るアンダーシャツを示す（ａ）は正面図、（ｂ）は背面図である。
【図２】図１のアンダーシャツの着用時の状態を示す図である。
【図３】図１の第一編地の未着用時における表側（外面）を示す簡略説明図である。
【図４】図１の第一編地の着用時における表側（外面）を示す簡略説明図である。
【図５】図１の第一編地の未着用時における裏側（内面）の凹凸部を示す簡略説明図である。
【図６】図５のVI−VI線断面図である。
【図７】図１の第一編地の着用時における裏側（内面）の凹凸部を示す概略説明図である。
【図８】図１の第一編地の編組織の構成例を示す平面図である。
【図９】図１の第二編地に含まれる第一編組織の構成例を示す平面図である。
【図１０】図１の第二編地に含まれる第二編組織の構成例を示す平面図である。
【図１１】図９の第一編組織と図１０の第二編組織とが重ね合わされた第二編地の編組織を示す平面図である。
【図１２】図１１のXII部分の拡大図である。
【図１３】第一編地の別の構成例を示す平面図である。
【図１４】別の実施形態に係るアンダーシャツを示す、（ａ）は正面図、（ｂ）は背面図をそれぞれ示している。
【図１５】別の実施形態に係るアンダーシャツを示す正面図であり、（ａ）は肘関節に対応する部分に連結部を設けたもの、（ｂ）は肘関節及び肩関節に対応する部分に連結部を設けたものをそれぞれ示している。
【図１６】本発明の別の実施形態に係るガードルを示す斜視図である。
【図１７】別の実施形態に係るガードルを示す斜視図である。
【符号の説明】
【０１０８】
Ｒ１    浮き編領域
Ｒ２    平編領域
Ｒ６    平編領域
Ｒ７    浮き編領域
Ｒ８    平編領域
１、２８、３１、５０    アンダーシャツ（衣類の一例）
２、３４、４１    胴回り部
３、４、３５、３６    袖部
５    第一編地
６    第二編地
７    第三編地
８    凸部
９    凹部
９ａ    深い凹部
９ｂ    浅い凹部
１５    ループ
１６    ループ
１７    タックループ
１８    第一編組織
１９    第二編組織
２９、３０、３２、３３、４６、４７    連結部
２９ａ、３０ａ    アームホール
４８、４９    第二連結部
５１、５９    ガードル（衣類の一例）
５２    膝上部
５３、５４    膝下部
５５、５６    連結部
６０、６１    第二連結部
【図１】
2008038259.tif 000003
【図２】
2008038259.tif 000004
【図３】
2008038259.tif 000005
【図４】
2008038259.tif 000006
【図５】
2008038259.tif 000007
【図６】
2008038259.tif 000008
【図７】
2008038259.tif 000009
【図８】
2008038259.tif 000010
【図９】
2008038259.tif 000011
【図１０】
2008038259.tif 000012
【図１１】
2008038259.tif 000013
【図１２】
2008038259.tif 000014
【図１３】
2008038259.tif 000015
【図１４】
2008038259.tif 000016
【図１５】
2008038259.tif 000017
【図１６】
2008038259.tif 000018
【図１７】
2008038259.tif 000019